(57)【要約】【課題】濾材の取り替えを容易に行える濾過装置を提供する。【解決手段】濾過塔１の構成材１Ａ，１Ｂに、濾材１５を保持させた保持材１１を着脱可能に組付けて濾過操作部１０とする。【特許請求の範囲】
【請求項１】
濾過塔の構成材に、濾材を保持させた保持材を着脱可能に組付けて濾過操作部とした、濾過装置。
【請求項２】
濾過塔本体に保持材を嵌挿して組付けた、請求項１記載の濾過装置。
【請求項３】
濾過塔を、濾過塔本体と蓋枠および基盤の３部材を互いに取り外し自在に組付けて構成し、前記濾過塔本体に濾材を着脱可能に組付けた、濾過装置。
【発明の詳細な説明】
【０００１】
【産業上の利用分野】
本発明は、用水、廃水その他の原水から濁質を捕捉するために用いる濾過装置に関するものである。
【０００２】
【従来の技術】
例えば、特許第２７９９３７７号公報に記載のもののように濾過塔内に濾材を固定的に配設した構造のものがある。
【０００３】
【発明が解決しようとする課題】
前記従来構造のものは、濾過性能はともかくとして、濾材を濾過塔に固定した構造のため、濁質が付着して（逆洗操作で取り除くことができない程に）濾過抵抗が高くなったときに行う濾材の交換作業に特殊な機器を必要とし、しかも、煩雑で、煩雑であるがために、濾過操作を長時間中断しなければならないという欠点がある。
【０００４】
本発明は斯様な従来例の欠点に着目して創案したものである。
【０００５】
【課題を解決するための手段】
濾過塔の構成材に、濾材を保持させた保持材を着脱可能に組付けて濾過操作部とし、濾過塔本体に保持材を嵌挿して組付けることにより濾材の着脱操作をより簡単に行うことができる。また、濾過塔を、濾過塔本体（一般的には「直胴部」）と蓋枠および基盤の３部材を互いに取り外し自在に組付けて構成し、前記濾過塔本体に濾材を着脱可能に組付けた構成にすることにより濾過塔本体を濾材の保持材として機能させ構造の単純化を図ることができる。
【０００６】
【発明の実施の形態】
図面は本発明に係る濾過装置の実施形態を示し、図１は第一実施形態の略示説明図、図２は第二実施形態の略示説明図、図３は第三実施形態の略示説明図である。
【０００７】
第一、第二実施形態の濾過装置は、濾過塔本体１Ａと蓋枠１Ｂのそれぞれに設けたフランジ２ａ，２ｂをガスケット３を介してボルト４およびナット５によって互いに締付けて濾過塔１を構成し、該濾過塔１の前記本体１Ａの下部側には処理水の排水口（取出口）６と濾過材の洗浄用空気管７を配設し、また、濾過塔１の上部側である前記蓋枠１Ｂには原水（用水や廃水）の注入口８と空気抜き９をそれぞれ配設し、前記上部側と下部側の間に濾過操作部１０を設けて構成したもので、注入口８より被処理水である、工場排水等の原水を注入して濾過操作部１０で濾過操作を行わしめて排水口６より処理水を回収し（この間必要に応じて空気抜き９により空気を抜き）、逆洗時には、排水口６を閉塞して空気管７より空気を圧入して濾過操作部１０の濾材を洗浄するようにしたものである。
【０００８】
【第一実施形態】
第一実施形態は、前記濾過操作部１０を、上面側を開口した有底円筒状体から成る保持材１１を濾過塔１の構成材である濾過塔本体１Ａと蓋枠１Ｂに着脱可能に組付けて構成したものである。
【０００９】
保持材１１は、上端にフランジ２ｃを備えた有底円筒状の主体１１Ａの底板に多数の透孔１３，…（原処理水や逆洗用流体が通過する）を設けて保持板１４と成し、該保持板１４にアンスラサイト、ガーネット、砂或いはセラミックなどの粒状濾材１５を保持（支持）させるようにして収容したものである。
【００１０】
そして、保持材１１を濾過塔本体１Ａ内に嵌挿するようにしてフランジ２ｃを本体１Ａ側のフランジ２ａに重ね合わせて本体１Ａに受支させ、該フランジ２ｃにガスケット３を介して蓋枠１Ｂ側のフランジ２ｂを重ね合わせて、これらを前記ボルト４およびナット５によって互いに締め付けて、前記濾材１５入りの保持材１１を濾過塔１の構成材１Ａ，１Ｂに着脱可能に固定したものである。
【００１１】
この実施形態の濾過装置は、濾材１５，…を収容した保持材１１で濾過室を構成させるもので、濾材１５，…の取り替えに際しては、ボルト４とナット５による本体１Ａ等との固定状態を解除して濾過塔本体１Ａから保持材１１を濾材１５，…ごと取り出し、取り替え作業の省力化を図るものである。
【００１２】
【第二実施形態】
図２で示す第二実施形態の濾材の保持材１６は、前記濾過塔本体１Ａの断面円形の内径とほぼ一致する外径のある一対の多孔円板１７，１７´間に杆体１８を架設して構成し、多孔円板１７，１７´間の、いわばスペーサを構成する前記杆体１８の長さよりも所定量長い芯紐と該芯紐の周側に濁質の捕捉材を突出させて構成した繊維製の濾材（特開２００２−４５６１２号公報に記載）２１を前記多孔円板１７，１７´間に架設するように保持させたもので、下側の多孔円板１７´を前記本体１Ａの下部側に設けた受支縁１９に受けさせ、上側の多孔円板１７に前記蓋枠１Ｂの内面に突設した押え杆２０で押え付けるようにして濾過塔１の構成材である濾過塔本体１Ａと蓋枠１Ｂに着脱可能に固定したものである。
【００１３】
この実施形態は、濾過室は濾過塔本体１Ａで構成し、濾材２１を保持した保持材１６のみを該濾過室乃至濾過塔本体１Ａから取り出し交替するようにしたものである。
【００１４】
【第三実施形態】
図３で示す第三実施形態の濾過装置は、濾過塔本体１Ａを所謂直胴部で構成したもので、該本体１Ａと蓋枠１Ｂおよび基盤１Ｃのそれぞれに設けたフランジ２ａ，２ａ´、２ｂ，２ｄをガスケット（図示省略）を介在させてボルト４およびナット５によって互いに締付けて濾過塔１を構成し、該濾過塔１の下部側（基盤１Ｃ部）に第一、第二の実施形態と同様に図示省略した処理水の排水口（取出口）や洗浄用空気管を、上部側（蓋枠１Ｂ部）には図示省略した注入口や空気抜きをそれぞれ配設し、これらを利用して他の実施形態と同様に洗浄操作と逆洗操作を行うようにしたものである。
【００１５】
そしてまた、この第三実施形態の濾過装置は、第一、第二実施形態で用いた濾材の保持材１１，１６を省略し、一対の多孔円板１７Ａ，１７´Ａ間に第二実施形態と同様の濾材２１，…を架設するようにして組付け、上側の多孔円板１７Ａ（図示省略してあるが、二つ折にできるようにしてある）を濾過塔本体１Ａと蓋枠１Ｂのフランジ２ａ，２ｂ間に介在させ、下側の多孔円板１７´Ａを濾過塔本体１Ａの下側のフランジ２ａ´と濾過塔基盤１Ｃのフランジ２ｄ間に介在させてボルト４およびナット５によって互いに締付けて前記濾材２１，…を濾過塔本体１Ａ部に配して濾過操作部１０を構成させるようにしたものである。
【００１６】
この第三実施形態は，ボルト４およびナット５を取り外すことによって、濾材２１，…を組合わせた濾過塔本体１Ａを蓋枠１Ｂと基盤１Ｃから分離し、別個に準備した他の濾過塔本体１Ａと未使用状態の（新たな）濾材２１，…（円板１７Ａ，１７´Ａに組付けた）を蓋枠１Ｂ等に組付けて直ちに濾過操作を続行して濾過操作の長時間の中断を回避し、分離した本体１Ａから濁質付の濾材２１，…を、上側の多孔円板１７Ａを二つ折にして本体１Ａを通じるようにして、取り外し作業を余裕をもって行おうとするもので、小形な濾過装置に適用するに有効にしたものである。
【００１７】
【発明の効果】
本発明は前記の通りの構成であるから、濾材を保持させた保持材を濾過塔の構成材から分離でき保持材の取り替えによって濾材の取り替えを行うことができるから、濾材のみの取り替えと比較し、濾材の取り替えを効率的に行うことができる。
【図面の簡単な説明】
【図１】第一実施形態の略示説明図。
【図２】第二実施形態の略示説明図。
【図３】第三実施形態の略示説明図。
【符号の説明】
１　　　濾過塔
１Ａ　　濾過塔本体
１Ｂ　　蓋枠
１０　　濾過操作部
１５　　濾材
【図１】
2004081953.tif 000002
【図２】
2004081953.tif 000003
【図３】
2004081953.tif 000004